(57)【特許請求の範囲】
【請求項１】
車体前部に運転台を設け、その後部にホースコンテナーを設け、かつ該ホースコンテナーの前部中央部にホース引込機構の格納庫を設けた移動車を使用し、前記格納位置から前記ホース引込機構を左右両端部のいずれか一方に選択的に移動してセットし、該移動車を地上に展張された送水ホースに沿って前進させながら、該送水ホースを前記ホース引込機構により引き上げて前記ホースコンテナに格納する移動車によるホース回収方法。
【請求項２】
前記セット位置で前記ホース引込機構の後端部を車両の進行方向に対して内向きに傾動可能にした請求項１に記載の移動車による送水ホース回収方法。
【請求項３】
前記ホース引込機構の後端部の車両進行方向に対する傾動角度が０°〜６０°の範囲である請求項２に記載の移動車による送水ホース回収方法。
【請求項４】
駆動ローラとニップローラからなる組ローラを前後２段に配置し、各組ローラの前側にそれぞれ送水ホース接続金具の通過を検知するセンサーを配置して前記ホース引込機構を構成し、前記２段の組ローラの各ニップローラを前記送水ホース接続金具の通過時間に対応させて時間差をおいて順次開閉させるようにした請求項１〜３のいずれか１項に記載の移動車による送水ホース回収方法。
【請求項５】
車体前部に運転台を設け、その後部にホースコンテナーを設け、かつ該ホースコンテナーの前部中央部にホース引込機構の格納庫を設け、かつ該格納庫から前記ホース引込機構を左右両端部のいずれか一方に選択的に移動してセット可能にした送水ホース回収に使用する移動車。
【発明の詳細な説明】
【０００１】
【産業上の利用分野】
本発明は、地上に展張された状態の送水ホースを移動車により効率的に回収する方法およびそれに使用する移動車に関する。
【０００２】
【従来の技術】
大規模火災の場合には、湖沼、海等が数百メートル程度の場所にあれば、それを水源として多数本の送水ホース（消防ホース）を連結しながら火災現場に展張して消火にあたることができる。また、山火事等の大規模火災の消火システムとして、数キロメートル離れた湖沼や海等の水源から、多数本の送水ホースを連結しながら火災現場まで延設して消火作業にあたるようにすることもある。
【０００３】
このように消火作業開始時に送水ホースを数百メートルから数キロメートルにわたり展張したり、また消火作業終了後に回収したりする手段として、例えば図４に示すようなホースコンテナーを有する移動車が使用される。
図４の移動車は、車体１に運転台２とホースコンテナー３とをそれぞれ前後に配置し、ホースコンテナー３内の巻取リール１１に送水ホースＨを巻回格納するようにしたものである。消火作業開始時に、水源から火災現場まで送水ホースＨを展張するときは、移動車を前方Ｆへ前進させながら巻取リール１１から送水ホースＨを解除しつつ車体後部から地上に放出し、逆に、消火作業終了のちに送水ホースＨを回収するときは、移動車を後方Ｒへ後進させながら巻取リール１１に巻き上げるようにしている。
【０００４】
しかし、上記移動車による作業は、送水ホースを展張する場合には特に支障はないが、回収する場合は、車両を後進させながら作業するため、運転台２から地上の送水ホースＨを確実に確認することが難しく、必然的に車両の移動速度が遅くなって、作業能率が低下してしまうという問題があった。また、後進での作業であるため安全性にも問題があった。
【０００５】
【発明が解決しようとする課題】
本発明の目的は、消火作業終了後に地上に放置された送水ホースの移動車による回収作業を効率よく行える回収方法と、その作業に使用する移動車を提供することにある。
【０００６】
【課題を解決するための手段】
本発明による送水ホース回収方法は、車体前部に運転台を設け、その後部にホースコンテナーを設け、かつ該ホースコンテナーの前部中央部にホース引込機構の格納庫を設けた移動車を使用し、前記格納位置から前記ホース引込機構を左右両端部のいずれか一方に選択的に移動してセットし、該移動車を地上に展張された送水ホースに沿って前進させながら、該送水ホースを前記ホース引込機構により引き上げて前記ホースコンテナに格納することを特徴とするものである。
【０００７】
このように本発明によれば、運転台の作業者が車両を前進させながら送水ホースを回収するので、地上に展張された送水ホースの確認を容易に行うことができ、それに伴って車両速度を速くすることができるため作業効率を向上することができる。また、前方を視認しながら作業するので安全性も向上する。
また本発明は、前記ホースコンテナー前部の中央部を前記ホース引込機構の格納位置にし、送水ホースを引き上げ操作するとき該格納位置から前記ホース引込機構を左右両端部のいずれか一方のセット位置に選択的に移動するようにしている。
【０００８】
したがって、送水ホースが路上において左右いずれ側に片寄って展張されていても、ホース引込機構をその片寄った側に移動させることにより円滑な回収作業を行うことができる。特に運転席側に移動させた場合には、運転者が送水ホースを最も確認しやすい位置で作業することになるので、作業性を一層向上することができる。
【０００９】
また本発明は、前記ホース引込機構の構成として、駆動ローラとニップローラからなる組ローラを前後２段に配置し、各組ローラの前側にそれぞれ送水ホース接続金具の通過を検知するセンサーを配置する構成にし、前記２段の組ローラの各ニップローラを前記送水ホース接続金具の通過時間に対応させて時間差をおいて順次開閉させるようにしている。
【００１０】
したがって、送水ホースを引き込む時のニップローラの押圧作用により、送水ホース内に残存する水をホースコンテナー内に持ち込まないように排除することができ、しかも前後２段の組ローラのニップローラが時間差をおいて開閉するようにしているため、送水ホースの接続金具が通過するときにも確実に水を排除しながら通過を可能にすると共に、中断することなく連続的な引き込みを可能にする。
【００１１】
【実施例】
以下、本発明を図に示す実施例を参照して具体的に説明する。
図１および図２は、本発明による消防用の送水ホース回収方法を実施する移動車について例示するものである。
この移動車は、車体１の前部に運転台２を設け、その後部にホースコンテナー３を設け、さらにホースコンテナー３の前部にホース引込機構４を設けている。このホース引込機構４は、移動車が送水ホース（消防ホース）の回収作業をしないときは、ホースコンテナー前部中央の格納庫５の中に鎖線で示すように下降した位置に格納され、送水ホース（消防ホース）の回収作業をするときは、上部に上昇すると共に左右両端部のいずれか一方に移動し、その端部にセットされるようになっている。かつ、ホース引込機構４は、そのセット位置で後部側を車両進行方向に対して０°〜６０°、好ましくは０°〜３０°の範囲内に内向きに傾動可能になっている。
【００１２】
図３に示すように、ホース引込機構４は、駆動ローラ４１と上下に開閉するニップローラ４１’からなる組ローラと、駆動ローラ４２と同じく上下に開閉するニップローラ４２’からなる組ローラとを前後２段に配置し、かつ各組ローラの前側にそれぞれ送水ホースＨの接続金具Ｍを検知するセンサー４３，４４を配置して構成されている。センサー４３，４４は、送水ホースＨの接続金具Ｍが当接したとき揺動することによりその通過を検知するようになっている。
【００１３】
駆動ローラ４１，４２は図示しないモータ等により積極駆動され、またニップローラ４１’，４２’は油圧シリンダーや電気的駆動方式によって上下に開閉作動するようになっている。センサー４３，４４としては、図示した揺動式のものに限定されるものではなく、光センサー、金属探知センサー、リミットスイッチ、感圧センサー、音波センサーなど公知のものがいずれも使用可能である。
【００１４】
上記センサー４３，４４の検知信号により、制御部（図示せず）を介してそれぞれ各組ローラのニップローラ４１’，４２’が時間差をもって上方へ開き、接続金具Ｍを順次通過させるようにする。すなわち、２段の組ローラは、前後に間隔をおいて配置されているため、まず前側のセンサー４３が接続金具Ｍの通過を検知すると、前側の組ローラのニップローラ４１’が開いて接続金具Ｍを通過させ、次いで後側のセンサー４４が接続金具Ｍの通過を検知し、後側の組ローラのニップローラ４２’を開いて接続金具Ｍを通過させる。
【００１５】
このように前後２段の組ローラのニップローラ４１’，４２’は時間差をもって順次開くため、一方が開いているときは、必ず他方が閉じた状態になるようにして、送水ホースＨを中断することなく確実に連続的に搬送する。また、このニップローラ４１’，４２’は、上記搬送作用と共に送水ホースＨを押圧するため、この押圧作用により内部に残存していた水を押し出し、ホースコンテナー３内に持ち込まないようにしている。
【００１６】
上述した本発明の移動車を使用して、消火作業後（或いは消火訓練後）に水源と火災現場との間に残置された送水ホースＨを回収するときは、まず送水ホースＨが路上で左右いずれ側に片寄った放置状態になっているかを確認し、次いで格納庫５に格納されたホース引込機構４をホースコンテナー３の上端部へ上昇させ、そこからホースコンテナー３の左右両端部のセット位置のうち、路上の送水ホースＨが片寄った側に移動させると共に、後端部側を車両進行方向に対してやや内向きに傾斜させる。好ましくは、運転席側の端部に移動させるとなお良い。
【００１７】
ホース引込機構４を上記のように端部位置にセットした移動車を路面に沿って前方Ｆに前進させながら、そのホース引込機構４により送水ホースＨを引き上げつつホースコンテナ３内に回収する。
ホースコンテナ３内への回収は、ホースコンテナ３内に入った別の作業者がホース引込機構４から送り出される送水ホースＨを前後方向に往復させながら折り畳み、さらに左右方向にも変位させて、所謂島田巻きの積層状態にする。このような折り畳み作業をするに当たり、ホースコンテナ３内の作業者は車両の前進速度を確かめながらホース引込機構４の駆動ロール４１，４２を停止させたり、駆動させたりして調整することができる。
【００１８】
このように車両を前進させながら送水ホースを回収するため、運転台２の作業者は地上に展張された送水ホースの位置の確認が容易になり、それによって車両速度を速くすることができる。したがって、送水ホースの回収作業効率は著しく向上する。
また、ホース引込機構４をホースコンテナ３の左右両端部のいずれか一方の位置にセットすることにより、好ましくは運転席側にセットすることにより、路上の送水ホースの放置状況に応じた引込み作業を容易にする。また、ホース引込機構４をセット位置において後部側をやや内側に斜め向けることにより、ホースコンテナ３内への送水ホースの折り畳み作業を効率よく行うことができる。このときの内側への傾斜角度としては、車両進行方向に対して０°〜６０°、好ましくは０°〜３０°の範囲にするとよい。
【００１９】
なお、上記移動車は、もちろん消火作業の開始時に行う送水ホースの展張作業にも使用することができる。この送水ホースの展張作業は、従来と同様にホースコンテナー３の後部から路上に放出するようにして展張させればよい。
また、上述した実施例では消防用のホースの場合について説明したが、本発明のホース回収方法および移動車は、消防以外の例えば渇水時や地震発生時等において、遠隔地の水源から送水ホースを展張して水を供給するような場合における送水ホースの回収等にも適用することができる。
【００２０】
【発明の効果】
上述したように、本発明によれば、運転台の作業者が車両を前進させながら送水ホースを回収するので、地上に展張された送水ホースの確認が容易になり、車両速度を可及的に速くすることができ、それによって回収作業効率を向上することができる。また、前方を視認しながら作業することができるので安全性も向上する。
【図面の簡単な説明】
【図１】本発明の送水ホース回収方法に使用する移動車の側面図である。
【図２】図１の移動車の平面図である。
【図３】図１の移動車に設けたホース引込機構の概略図である。
【図４】従来の移動車の側面図である。
【符号の説明】
１  車体
２  運転台
３  ホースコンテナー
４  ホース引込機構
５  格納庫
Ｈ  送水ホース
【図１】
0003628068.tif 000002
【図２】
0003628068.tif 000003
【図３】
0003628068.tif 000004
【図４】
0003628068.tif 000005